(57)【要約】【課題】イベントが行われる場所及び時刻に応じて、通信サービスを提供する装置に対して適切に設定を行う。【解決手段】通信サービスを提供するために使用される装置への設定を行う通信設定装置において、イベントの場所及びスケジュールを含むイベント情報をユーザ毎に格納するイベント情報格納部と、設定情報をユーザ毎に格納する設定情報格納部と、前記装置が配置されている場所及び時刻のイベントに対応するユーザを前記イベント情報格納部から検出し、当該ユーザの設定情報を前記設定情報格納部から取得し、当該設定情報を前記装置に送信する設定処理手段とを備える。【選択図】図１
2019106682.tif 000002
【特許請求の範囲】
【請求項１】
通信サービスを提供するために使用される装置への設定を行う通信設定装置であって、
イベントの場所及びスケジュールを含むイベント情報をユーザ毎に格納するイベント情報格納部と、
設定情報をユーザ毎に格納する設定情報格納部と、
前記装置が配置されている場所及び時刻のイベントに対応するユーザを前記イベント情報格納部から検出し、当該ユーザの設定情報を前記設定情報格納部から取得し、当該設定情報を前記装置に送信する設定処理手段と
を備えることを特徴とする通信設定装置。
【請求項２】
前記装置は、所定のネットワークに配備される接続装置に接続され、前記設定処理手段は、前記接続装置に対応する回線のＩＤに基づいて、前記装置が配置されている場所を判断する
ことを特徴とする請求項１に記載の通信設定装置。
【請求項３】
前記通信設定装置は、場所毎の接続先識別子を格納した場所情報格納部を備え、
前記設定処理手段は、前記場所情報格納部を参照することにより、前記装置が配置されている場所に対応する接続先識別子を取得し、当該接続先識別子を前記装置に配付する
ことを特徴とする請求項２に記載の通信設定装置。
【請求項４】
前記設定処理手段は、前記装置の位置情報に基づいて、前記装置が配置されている場所を判断する
ことを特徴とする請求項１に記載の通信設定装置。
【請求項５】
前記通信設定装置は、移動体通信のためのＩＤ毎の接続先識別子を格納したＩＤ情報格納部を備え、
前記設定処理手段は、前記ＩＤ情報格納部を参照することにより、前記装置から受信するＩＤに対応する接続先識別子を取得し、当該接続先識別子宛てに前記設定情報を送信する
ことを特徴とする請求項４に記載の通信設定装置。
【請求項６】
通信サービスを提供するために使用される装置への設定を行う通信設定装置が実行する通信設定方法であって、
前記通信設定装置は、イベントの場所及びスケジュールを含むイベント情報をユーザ毎に格納するイベント情報格納部と、設定情報をユーザ毎に格納する設定情報格納部とを備えており、
前記装置が配置されている場所及び時刻のイベントに対応するユーザを前記イベント情報格納部から検出し、当該ユーザの設定情報を前記設定情報格納部から取得し、当該設定情報を前記装置に送信するステップ
を備えることを特徴とする通信設定方法。
【請求項７】
コンピュータを、請求項１ないし５のうちいずれか１項に記載の通信設定装置における設定処理手段として機能させるためのプログラム。
【発明の詳細な説明】
【技術分野】
【０００１】
本発明は、装置への設定を行うことにより、通信サービスを提供する技術に関連するものである。
【背景技術】
【０００２】
映像伝送やファイル転送等の所望の通信サービスを提供するためには、当該通信サービスに関わる装置を適切に設定することが必要である。
【０００３】
装置の設定は人が手動で行うことが可能であるが、設定を効率化するために、自動的に装置への設定を行う種々の従来技術が存在する。そのような従来技術として、例えば、ＺＴＰ（Zero Touch Provisioning）と呼ばれる技術がある。
【０００４】
既存のＺＴＰ技術では、例えば、設定対象の装置が所定のサーバにアクセスし、当該サーバから設定情報を受信し、自動的に設定を行う。
【先行技術文献】
【特許文献】
【０００５】
【特許文献１】特開２０１５−１５９４５７号公報
【特許文献２】特開２０１４−００７５５２号公報
【発明の概要】
【発明が解決しようとする課題】
【０００６】
近年、スポーツやコンサート等のイベントが様々な場所で頻繁に開催されている。そのようなイベントでは、イベント会場からの映像配信等の通信サービスの要求が発生する。
【０００７】
前述したように、通信サービスを提供するためには、装置への設定が必要である。イベントは一時的なものであるので、イベントのための通信サービスを提供するためには、イベントの開催場所に装置を設置し、イベントの開催時間に通信サービスを提供できるように装置への設定を行う必要がある。また、イベントの度に、スキルを持つ作業者が人手で設定を行うことは膨大なコストがかかることから、装置への設定は自動的に行う必要がある。
【０００８】
しかし、既存ＺＴＰ等の従来の設定技術では、上記のイベントのように、ある場所で一時的に提供される通信サービスのための設定を想定していないため、イベントの開催場所及び開催時刻に応じた適切な設定を行うことは難しい。
【０００９】
なお、本願における「イベント」とは、スポーツの試合、コンサート等に限られるわけではなく、通信サービスを必要とする事象全般を示すものとする。
【００１０】
本発明は上記の点に鑑みてなされたものであり、イベントが行われる場所及び時刻に応じて、通信サービスを提供する装置に対して適切に設定を行うことを可能とする技術を提供することを目的とする。
【課題を解決するための手段】
【００１１】
開示の技術によれば、通信サービスを提供するために使用される装置への設定を行う通信設定装置であって、
イベントの場所及びスケジュールを含むイベント情報をユーザ毎に格納するイベント情報格納部と、
設定情報をユーザ毎に格納する設定情報格納部と、
前記装置が配置されている場所及び時刻のイベントに対応するユーザを前記イベント情報格納部から検出し、当該ユーザの設定情報を前記設定情報格納部から取得し、当該設定情報を前記装置に送信する設定処理手段と
を備えることを特徴とする通信設定装置が提供される。
【発明の効果】
【００１２】
開示の技術によれば、イベントが行われる場所及び時刻に応じて、通信サービスを提供する装置に対して適切に設定を行うことが可能となる。
【図面の簡単な説明】
【００１３】
【図１】実施の形態における通信システムの構成図である。
【図２】実施の形態における通信システムの他の例を示す構成図である。
【図３】実施の形態における通信設定装置１００の構成例を示す図である。
【図４】イベント情報格納部１０１に格納されるテーブルの構造例を示す図である。
【図５】ユーザ情報格納部１０２に格納されるテーブルの構造例を示す図である。
【図６】場所情報格納部１０３及びアドレス情報格納部１０４に格納されるテーブルの構造例を示す図である。
【図７】通信設定装置１００のハードウェア構成例を示す図である。
【図８】設定が行われる状況の例を示す図である。
【図９】設定が行われる状況の例を示す図である。
【図１０】通信システムの動作例を説明するためのシーケンス図である。
【図１１】通信システムの動作例を説明するためのシーケンス図である。
【発明を実施するための形態】
【００１４】
以下、図面を参照して本発明の実施の形態を説明する。以下で説明する実施の形態は一例に過ぎず、本発明が適用される実施の形態は、以下の実施の形態に限られるわけではない。例えば、以下の実施の形態では、通信装置等の配置場所を判断するために、接続装置（ＯＮＵ等）を利用する例や、ＧＰＳ等の位置情報を利用する例を挙げているが、通信装置等の配置場所を判断する方法はこれらに限られるわけではなく、どのような方法を使用してもよい。
【００１５】
また、以下で説明する接続装置（ＯＮＵ）と通信装置（ＣＰＥ）間の接続は、有線による接続に限定されず、無線（例：無線ＬＡＮ、Ｂｌｕｅｔｏｏｔｈ（登録商標）等）で接続してもよい。また、位置を特定する技術は、ＧＰＳに限られるわけではなく、どのような技術を用いてもよい。例えば、非接触ＩＣタグ、Ｂｅａｃｏｎ、無線ＬＡＮのアクセスポイントといった場所を特定する技術を用いてもよい。場所を特定する精度が高ければ高いほど、「場所」の粒度は、「エリア」から「ビル（建物）」、「フロア（部屋）」、「ラック（棚）」や「棚板の位置（段）」レベルまで絞り込むことが可能となる。
【００１６】
（システム構成）
図１に、本発明の実施の形態における通信システムの構成図を示す。図１に示す通信システムは、ＭＰＬＳ網等の有線のネットワーク２００、及び、ネットワーク２００に接続される通信設定装置１００を含む。また、ネットワーク２００には、地理的な各場所において、通信装置をネットワーク２００に接続させることを可能とする接続装置１０が備えられている。接続装置１０は、例えばＯＮＵ（Optical Network Unit：光回線終端装置）であるが、それに限られない。
【００１７】
図１に示す例では、場所Ａに接続装置１０Ａが備えられ、場所Ｂに接続装置１０Ｂが備えられ、場所Ｃに接続装置１０Ｃが備えられている。
【００１８】
各場所は、地理上の特定の位置に存在する。各場所は、例えば、スタジアム、運動場、ホール等、イベントが行われ得る場所であるが、これは例であり、各場所はどのような場所であってもよい。
【００１９】
図１の例では、３つの場所に接続装置１０が備えられることが示されているが、これは図示の便宜上のためであり、実際には多数の場所に接続装置１０が備えられる。
【００２０】
例えば、ユーザが、ある時刻において、場所Ａと場所Ｃとの間で通信サービスを利用する場合において、図１に示すように、場所Ａと場所Ｃのそれぞれに、通信サービスを実現するための通信装置２０が設置され、当該通信装置が各場所の接続装置１０に接続される。
【００２１】
より具体的には、図１の例において、場所Ａに通信装置２０Ａ、処理装置３１Ａ、３２Ａが設置され、通信装置２０Ａが接続装置１０Ａに接続される。また、場所Ｃに通信装置２０Ｃ、処理装置３０Ｃが設置され、通信装置２０Ｃが接続装置１０Ｃに接続される。
【００２２】
通信装置２０は例えばルータである。処理装置は、通信サービスに応じた処理を行う装置であり、例えば、映像伝送サービスを提供する場合、処理装置は、映像送信側ではエンコーダになり、映像受信側ではデコーダになる。なお、通信装置２０をＣＰＥと称してもよい。
【００２３】
図２は、本発明の実施の形態における通信システムの他の例を示す図である。図２に示す例は、各場所の通信装置２０を接続するネットワークが移動体通信ネットワーク３００である点が図１に示す例と異なっている。
【００２４】
通信設定装置１００は、無線で移動体通信ネットワーク３００に接続されてもよいし、移動体通信ネットワーク３００に接続されるインターネット経由で移動体通信ネットワーク３００に接続されてもよい。
【００２５】
各場所に設置される装置については図１に示す例と同様である。すなわち、図２に示す例において、場所Ａに通信装置２０Ａ、処理装置３１Ａ、処理装置３２Ａが設置され、場所Ｃに通信装置２０Ｃ、処理装置３０Ｃが設置される。
【００２６】
図２における通信装置２０は、図１に示した通信装置２０と同様に例えばルータである。ただし、図２に示す例における通信装置２０は、移動体通信機能を含むとともに、ＧＰＳ機能等の自身の位置を取得し、送信する機能を含む。また、図２における通信装置２０には、移動体通信のためのＩＰアドレスが割り当てられており、通信設定装置１００において、通信装置２０のＩＤ（例：ＳＩＭカードのＩＤ）と、ＩＰアドレスとが格納されている。
【００２７】
図１、図２のいずれの場合も、まず、通信設定装置１００には、ユーザ毎のイベントの場所とスケジュールを含むイベント情報と、ユーザ毎の設定情報が登録される。そして、あるイベントに対応する場所及び時刻において、通信装置２０が設置されると、通信設定装置１００はそれを自動的に認識して、当該イベントに対応するユーザの設定情報を通信装置２０に送信し、通信装置２０及び配下の装置において設定がなされ、所望の通信サービスが自動的に実現される。図１、図２に示す各例の通信システムの動作の詳細については、シーケンス図を参照して後述する。
【００２８】
（通信設定装置１００の構成例）
図３に、通信設定装置１００の機能構成例を示す。図３に示すように、通信設定装置１００は、イベント情報格納部１０１、ユーザ情報格納部１０２、場所情報格納部１０３、アドレス情報格納部１０４、情報登録部１０５、設定処理部１０６、アドレス配付部１０７を含む。なお、設定処理部１０６の中にアドレス配付部１０７が含まれていてもよい。また、アドレス情報格納部１０４をＩＤ情報格納部１０４と称してもよい。
【００２９】
図３の例は、図１の例と図２の例のいずれにも対応可能な構成である。例えば、図１の例のみ対応する場合には、アドレス情報格納部１０４を備えないこととしてもよい。また、図２の例のみに対応する場合には、場所情報格納部１０３、及びアドレス配付部１０７を備えないこととしてもよい。
【００３０】
なお、通信設定装置１００は、物理的には１つの装置（コンピュータ等）であってもよよいし、１つ又は複数の機能部を１つの装置とすることで、通信設定装置１００が複数の装置から構成されてもよい。なお、通信設定装置１００が複数の装置から構成される場合には、通信設定装置１００を通信設定システムと称してもよい。また、通信設定装置１００が仮想マシンにより実現されてもよい。
【００３１】
情報登録部１０５は、例えば管理者端末から情報を受信し、当該情報をイベント情報格納部１０１、ユーザ情報格納部１０２、場所情報格納部１０３、及びアドレス情報格納部１０４に格納する。
【００３２】
設定処理部１０６は、イベント情報格納部１０１、ユーザ情報格納部１０２等に格納された情報に基づいて、ある場所、ある時刻に通信装置２０が設置されていることを検知すると、当該場所・時刻に開催されるイベントに対応するユーザの設定情報を当該通信装置２０に送信することで、当該通信装置２０、及び通信装置２０の配下の処理装置に対する設定を実施する。
【００３３】
アドレス配付部１０７は、場所情報格納部１０３に登録されているＩＰアドレスを配付する機能を有する。なお、このＩＰアドレスは、通信設定装置１００から通信装置２０及び処理装置への通信をするために使用される「接続先を特定する情報（識別子）」の一例である。当該「接続先を特定する情報（識別子）」は、ＩＰアドレスに限定されず、ＭＡＣアドレス、ＶＬＡＮ−ＩＤ、ＭＰＬＳラベル等であってもよい。これらを総称して接続先識別子と呼んでもよい。
【００３４】
イベント情報格納部１０１にはイベント情報が格納される。図４に、イベント情報格納部１０１に格納されるイベント情報の例を示す。図４に示す例において、イベント情報は、ユーザＩＤ、イベントスケジュール、接続場所、通信内容を含む。イベントスケジュールは、例えば、イベントの開始時刻と終了時刻を有する情報である。なお、準備の時間を考慮して、「開始時刻」は、実際にイベントが開始される時刻の所定時間前の時刻であり、「終了時刻」は、実際にイベントが終了する時刻の所定時間後の時刻であってもよい。
【００３５】
接続場所は、例えば通信を行う両端の場所を示す。図４の最初のエントリの例においては、場所Ａと場所Ｃとの間で通信サービスが提供されることを示す。通信内容は、どのような通信が行われるかを示す情報であり、図４には、映像伝送であって、場所Ａから場所Ｃへの片方向の伝送が行われることが示されている。
【００３６】
ユーザ情報格納部１０２には、ユーザ情報として、例えば、ユーザＩＤ毎の設定情報が格納される。設定情報は、該当するユーザＩＤを持つユーザの通信装置に対して送信すべき設定情報である。図５の例では、設定情報として、映像伝送パラメータ、ＩＰアドレス等が示されている。なお、１ユーザが、複数の場所での設定を行う場合においては、設定情報が、場所別に分けられていてもよい。
【００３７】
図６（ａ）に示すように、場所情報格納部１０３には、場所毎のＩＰアドレスが格納されている。なお、場所情報格納部１０３には、更に、場所と、場所を示す識別情報（例：接続装置が接続されている回線のＩＤに相当するＶＬＡＮ−ＩＤ）とを対応付けた情報が格納されることとしてもよい。図６（ｂ）に示すように、アドレス情報格納部１０４には、ＩＤ（例：ＳＩＭカードのＩＤ）毎のＩＰアドレスが格納されている。図６（ａ）、（ｂ）に示すＩＰアドレスは、前述した接続先識別子の一例である。
【００３８】
また、図６（ａ）の場所情報格納部１０３に関し、「場所」と「ＩＰアドレス」を対応付けて管理することに加えて、その「場所」にある通信装置２０配下の処理装置の接続先識別子（ＩＰアドレス等）を事前に保持・管理することとしてもよい。また、図６（ｂ）のアドレス情報格納部１０４に関し、「ＩＤ」と「ＩＰアドレス」を対応付けて管理することに加えて、その「ＩＤ」を持つ通信装置２０配下の処理装置の接続先識別子（ＩＰアドレス等）を事前に保持・管理することとしてもよい。
【００３９】
なお、図２の例を適用する場合において、「場所」は位置情報であってもよいし、場所と位置情報とを対応付けた対応情報を通信設定装置１００が保持し、通信設定装置１００は、当該対応情報に基づいて、位置情報から場所を把握してもよい。
【００４０】
（ハードウェア構成例）
上述した通信設定装置１００は例えば、１つ又は複数のコンピュータに、本実施の形態で説明する処理内容を記述したプログラムを実行させることにより実現可能である。すなわち、通信設定装置１００は、コンピュータに内蔵されるＣＰＵやメモリ等のハードウェア資源を用いて、通信設定装置１００で実施される処理に対応するプログラムを実行することによって実現することが可能である。上記プログラムは、コンピュータが読み取り可能な記録媒体（可搬メモリ等）に記録して、保存したり、配付したりすることが可能である。また、上記プログラムをインターネットや電子メール等、ネットワークを通して提供することも可能である。
【００４１】
図７は、本実施の形態における上記コンピュータのハードウェア構成例を示す図である。図７のコンピュータは、それぞれバスＢで相互に接続されているドライブ装置１５０、補助記憶装置１５２、メモリ装置１５３、ＣＰＵ１５４、インターフェース装置１５５、表示装置１５６、及び入力装置１５７等を有する。
【００４２】
通信設定装置１００での処理を実現するプログラムは、例えば、ＣＤ−ＲＯＭ又はメモリカード等の記録媒体１５１によって提供される。プログラムを記憶した記録媒体１５１がドライブ装置１５０にセットされると、プログラムが記録媒体１５１からドライブ装置１５０を介して補助記憶装置１５２にインストールされる。但し、プログラムのインストールは必ずしも記録媒体１５１より行う必要はなく、ネットワークを介して他のコンピュータよりダウンロードするようにしてもよい。補助記憶装置１５２は、インストールされたプログラムを格納すると共に、必要なファイルやデータ等を格納する。例えば、補助記憶装置１５２は、イベント情報格納部１０１、ユーザ情報格納部１０２、場所情報格納部１０３、及びアドレス情報格納部１０４に対応する。
【００４３】
メモリ装置１５３は、プログラムの起動指示があった場合に、補助記憶装置１５２からプログラムを読み出して格納する。ＣＰＵ１５４は、メモリ装置１５３に格納されたプログラムに従って当該装置に係る機能を実現する。インターフェース装置１５５は、ネットワークに接続するためのインターフェースとして用いられる。
【００４４】
表示装置１５６はプログラムによるＧＵＩ（Graphical User Interface）等を表示する。入力装置１５７はキーボード及びマウス、ボタン、又はタッチパネル等で構成され、様々な操作指示を入力させるために用いられる。
【００４５】
（通信システムの動作例）
以下、本実施の形態における通信システムの動作例について説明する。まず、図８、図９を参照して、通信設定装置１００が装置への設定を行う際の状況の例を説明する。
【００４６】
図８に示す例においては、１１月１日に、ユーザａが、場所Ａから場所Ｃへの片方向の映像伝送を、所定の帯域（例：２５Ｍｂｐｓ）で実行する。また、同日に、ユーザｂが、場所Ｂと場所Ｄとの間におけるファイル転送を、所定の帯域（例：１０Ｍｂｐｓ）で実行する。
【００４７】
この場合において、ユーザａは、１１月１日に、場所Ａと場所ＣのそれぞれにＣＰＥと映像機器を設置することで、通信設定装置１００から自動的に設定情報が各ＣＰＥに送られ、ＣＰＥと映像機器における設定が自動的になされ、所望の映像伝送サービスが提供される。
【００４８】
また、ユーザｂは、１１月１日に、場所Ｂと場所ＤのそれぞれにＣＰＥと端末を設置することで、通信設定装置１００から自動的に設定情報が各ＣＰＥに送られ、ＣＰＥと端末における設定が自動的になされ、所望のファイル転送サービスが提供される。
【００４９】
続いて、１１月２日には、ユーザｃが、場所Ａと場所Ｄとの間の映像伝送を、所定の帯域（例：５０Ｍｂｐｓ）で実行する。この場合において、ユーザｃは、１１月２日に、場所Ａと場所ＤのそれぞれにＣＰＥと映像機器を設置することで、通信設定装置１００から自動的に設定情報が各ＣＰＥに送られ、ＣＰＥと映像機器における設定が自動的になされ、所望の映像伝送サービスが提供される。
【００５０】
なお、通信が行われる両端の場所のいずれか１つの場所においては、通信装置等の装置が固定的に設置されていてもよい。この場合でも、イベントのスケジュールに従って、適切な設定が実行される。
【００５１】
また、上記の例では、日単位でサービスを切り替えているが、これは例であり、より細かな時間の単位（時間、分、秒等）でサービスを切り替えることが可能である。
【００５２】
上記のとおり、通信設定装置１００の機能により、時間単位、場所単位で、ユーザの要望に合致した装置設定で通信サービスを提供することが可能である。
【００５３】
図９は、通信設定装置１００による設定が行われる状況の他の例を示す。図９の例では、例えばある日のある時間に、あるユーザが、場所ＡからユーザのＤＣ（データセンタ）への映像伝送を行うとともに、場所Ａから保守センタに対して、モニタ用の映像伝送がなされる。
【００５４】
この場合も、これまでに説明した例と同様に、予め通信設定装置１００に設定されたイベントの場所及びスケジュールに基づいて、通信設定装置１００から各ＣＰＥに設定情報が送信され、図示のとおりの通信サービスを実現するための設定が自動的になされる。
【００５５】
次に、ある場所（ここでは場所Ａとする）に通信装置２０Ａ等が設置される場合を例にとって、通信システムの動作例を図１０、図１１のシーケンス図を参照して説明する。
【００５６】
＜図１の構成に対応する動作例＞
図１０は、図１の構成に対応する動作例を示すシーケンス図である。図１０の動作の前提として、通信設定装置１００のイベント情報格納部１０１、ユーザ情報格納部１０２、及び場所情報格納部１０３には、ユーザＩＤ＝ＡＢＣＤのユーザに対する通信サービスの提供のために必要な情報が既に登録されているものとする。
【００５７】
Ｓ１０１において、通信装置２０Ａが接続装置１０Ａに接続される。これにより、通信装置２０Ａが接続装置１０Ａに接続されたことを示す識別情報（例：ＶＬＡＮ−ＩＤ）が通信設定装置１００に送信される（Ｓ１０２）。
【００５８】
識別情報を受信した通信設定装置１００において、アドレス配付部１０７は、場所情報格納部１０３を参照し、識別情報に基づいて、通信装置２０Ａが接続された場所が場所Ａであることを把握する（Ｓ１０３）。
【００５９】
アドレス配付部１０７は、場所Ａに対応するＩＰアドレスとしてＩＰアドレスＡを取得し、当該ＩＰアドレスＡを通信装置２０Ａに送信する（Ｓ１０４）。通信装置２０Ａは、通信インターフェースにＩＰアドレスＡを設定する。
【００６０】
また、通信設定装置１００の設定処理部１０６は、アドレス配付部１０６により場所Ａに対応するＩＰアドレスＡが配付されたことを検知すると、場所Ａに通信装置２０Ａが配置されていることを把握する。そして、設定処理部１０６は、イベント情報格納部１０１（例：図４）を参照することにより、イベントスケジュールの期間が現在時刻を含み、通信サービスが場所Ａを対象としているイベントが存在することを把握する。イベントスケジュールの期間が現在時刻を含むとは、例えば、図４の最初のエントリのイベントスケジュール（２０１７年１２月１日１９：００〜２０１７年１２月１日２２：００）の場合において、現在時刻が、２０１７年１２月１日１９：００〜２０１７年１２月１日２２：００に含まれるような場合である。また、通信サービスが場所Ａを対象としているイベントが存在するとは、図４に示す「場所Ａ〜場所Ｃ」のように、場所Ａが、提供される通信サービスの端点になっているような場合である。
【００６１】
なお、例えば、場所Ａを対象としているイベントが存在しても、現在時刻が２０１７年１２月１日１９：００〜２０１７年１２月１日２２：００の範囲外である場合には、設定情報の送信は行われない。また、一旦設定がなされた後に、時刻が２０１７年１２月１日２２：００を過ぎた場合において、通信設定装置１００は通信装置に対して通信サービスを停止するための設定を行ってもよい。続いて、設定処理部１０６は、対象イベントのユーザＩＤ（ここではユーザＩＤ＝ＡＢＣＤ）をイベント情報格納部１０１から取得し、ユーザ情報格納部１０２（例：図５）から、ユーザＩＤ＝ＡＢＣＤに対応する設定情報を取得する（Ｓ１０５）。
【００６２】
そして、設定処理部１０５は、設定情報をＩＰアドレスＡを宛先として送信する（Ｓ１０６）。当該設定情報は、通信装置２０Ａにより受信され、通信装置２０Ａ、及び、その配下の処理装置３１Ａ、３２Ａにおいて設定処理が実行される。
【００６３】
上記のように、通信設定装置１００から通信装置２０Ａに直接的に設定情報を送信することは一例である。例えば、通信設定装置１００が、設定情報の格納場所（ＵＲＬ等）を通信装置２０Ａに送信し、通信装置２０Ａがその格納場所（ＵＲＬ等）にアクセスして、設定情報をダウンロードし、設定することとしてもよい。この場合、ユーザ情報格納部１０２にはユーザＩＤと、当該ユーザの設定情報の格納場所が格納される。なお、「格納場所」は、通信装置２０Ａが設定に使用する情報であるから、「設定情報」がその意味として「格納場所」を含むと解釈してもよい。
【００６４】
＜図２の構成に対応する動作例＞
図１１は、図２の構成に対応する動作例を示すシーケンス図である。図１１の動作の前提として、通信設定装置１００のイベント情報格納部１０１、ユーザ情報格納部１０２、及びアドレス情報格納部１０４には、ユーザＩＤ＝ＡＢＣＤのユーザに対する通信サービスの提供のために必要な情報が既に登録されているものとする。
【００６５】
Ｓ２０１において、通信装置２０Ａが場所Ａに移動する（配置される）。通信装置２０Ａは、場所Ａの位置を示す位置情報を通信設定装置１００に送信する（Ｓ２０２）。また、Ｓ２０２において通信装置２０Ａから通信設定装置１００に送信される情報には、通信装置２０ＡのＩＤ（例：移動体通信のためのＳＩＭカードに登録されているＩＤ）が含まれる。
【００６６】
位置情報とＩＤを受信した通信設定装置１００において、設定処理部１０６は、位置情報が場所Ａに対応することを把握するとともに、ＩＤ（ここではＩＤ−Ａ）に基づいてアドレス情報格納部１０４を参照することで、通信装置２０ＡのＩＰアドレスがＩＰアドレスＡであることを把握する（Ｓ２０３）。
【００６７】
そして、設定処理部１０６は、イベント情報格納部１０１（例：図４）を参照することにより、イベントスケジュールの期間が現在時刻を含み、通信サービスが場所Ａを対象としているイベントが存在することを把握する。続いて、設定処理部１０６は、対象イベントのユーザＩＤ（ここではユーザＩＤ＝ＡＢＣＤ）をイベント情報格納部１０１から取得し、ユーザ情報格納部１０２（例：図５）から、ユーザＩＤ＝ＡＢＣＤに対応する設定情報を取得する（Ｓ２０４）。
【００６８】
そして、設定処理部１０６は、設定情報を、ＩＰアドレスＡを宛先として送信する（Ｓ２０５）。当該設定情報は、通信装置２０Ａにより受信され、通信装置２０Ａ、及び、その配下の処理装置３１Ａ、３２Ａにおいて設定処理が実行される（Ｓ２０６）。
【００６９】
図１０の場合と同様に、図１１の場合でも、上記のように、通信設定装置１００から通信装置２０Ａに直接的に設定情報を送信することは一例である。例えば、通信設定装置１００が、設定情報の格納場所（ＵＲＬ等）を通信装置２０Ａに送信し、通信装置２０Ａがその格納場所（ＵＲＬ等）にアクセスして、設定情報をダウンロードし、設定することとしてもよい。この場合、ユーザ情報格納部１０２にはユーザＩＤと、当該ユーザの設定情報の格納場所が格納される。なお、「格納場所」は、通信装置２０Ａが設定に使用する情報であるから、「設定情報」がその意味として「格納場所」を含むと解釈してもよい。
【００７０】
また、上記の例では、通信装置２０Ａが位置情報を通信設定装置１００に送信することとしているが、これは一例に過ぎない。通信装置２０Ａが位置情報を通信設定装置１００に送信することなく、通信設定装置１００が通信装置２０Ａの位置情報を取得してもよい。その方法としてはどのような方法を用いてもよい。一例として、通信設定装置１００が、通信装置２０ＡのＩＤ等に基づいて、移動体通信ネットワーク３００から通信装置２０Ａの位置情報を取得してもよい。
【００７１】
（実施の形態の効果等）
スタジアムやイベント施設といった複数のユーザが共有して利用する場所を対象にユーザの要望に合致した装置設定で通信サービスを提供する状況が増加している。このような状況においては、装置を常時設置できない場所が存在するとともに、利用用途によって、設置する装置の構成・種別・設定内容が異なることが一般的である。
【００７２】
既存ＺＴＰ等の従来技術では、運用中の構成変更を対象としていないため、９時からはＡ社向け、１２時からはＢ社向け等といった、時間単位での通信サービスの提供は困難であった。また、現地に有識者を派遣して手動で設定を変更することも考えられるが、多種多様な機器のノウハウを持った現地の作業員を育成・派遣するのは困難であり、現実的ではない。
【００７３】
一方、本実施の形態に係る技術では、事前にイベント情報と、ユーザ毎の設定情報を登録しておき、サービス提供当日に、該当の場所に現地作業者が必要な装置を運搬し、設置・接続（物理作業のみ）し、現地作業の開始（装置の回線接続検知、ＧＰＳ等の位置情報検知等）をトリガーに通信設定装置１００がイベント情報とユーザ毎の設定情報に基づいて、各種装置に最適な設定を自動投入することが可能である。すなわち、本実施の形態に係る技術では、場所と利用スケジュールに紐づいた、その時、通信サービスを利用するユーザに最適な設定を自動で投入することが可能である。これにより、場所毎に時間単位で通信サービスを提供することができ、更に、現地に有識者を派遣する必要も生じない。
【００７４】
上記のとおり、本実施の形態に係る技術によれば、例えばスタジアムやイベント施設といった複数のユーザが共有して利用する場所を対象に時間単位でユーザの要望に合致した装置設定（例：ＣＰＥとその接続装置に対する設定）でサービスを柔軟に開通・提供できるようになる。また、現地作業の内容が物理接続のみとなり、簡素化され、人材確保が容易となり、コスト削減になる。
【００７５】
更に、本実施の形態に係る技術によれば、装置を利用していない場所がある場合に、その装置を別の場所に持ち込むことで、限りある装置を有効活用できる。つまり、本実施の形態に係る技術は、既存ＺＴＰとは異なり、装置に設定が紐づいていないため、出荷状態の装置を物理接続するのみ（あるいは配置するのみ）で最適な設定が自動投入される。
【００７６】
また、本実施の形態に係る技術によれば、装置（例：ＣＰＥとその接続装置）が故障した際に、予備機を故障機と差し替えるのみで復旧させることができる。これにより、現地で複雑な作業が不要となり、予備機の数を節約可能となる。
【００７７】
（実施の形態のまとめ）
以上、説明したように、本実施の形態によれば、通信サービスを提供するために使用される装置への設定を行う通信設定装置であって、イベントの場所及びスケジュールを含むイベント情報をユーザ毎に格納するイベント情報格納部と、設定情報をユーザ毎に格納する設定情報格納部と、前記装置が配置されている場所及び時刻のイベントに対応するユーザを前記イベント情報格納部から検出し、当該ユーザの設定情報を前記設定情報格納部から取得し、当該設定情報を前記装置に送信する設定処理手段とを備えることを特徴とする通信設定装置が提供される。
【００７８】
例えば、前記装置は、所定のネットワークに配備される接続装置に接続され、前記設定処理手段は、前記接続装置に対応する回線のＩＤに基づいて、前記装置が配置されている場所を判断する。
【００７９】
前記通信設定装置は、場所毎の接続先識別子を格納した場所情報格納部を備え、前記設定処理手段は、前記場所情報格納部を参照することにより、前記装置が配置されている場所に対応する接続先識別子を取得し、当該接続先識別子を前記通信装置に配付することとしてもよい。
【００８０】
また、例えば、前記設定処理手段は、前記装置の位置情報に基づいて、前記通信装置が配置されている場所を判断する。
【００８１】
前記通信設定装置は、移動体通信のためのＩＤ毎の接続先識別子を格納したＩＤ情報格納部を備え、前記設定処理手段は、前記ＩＤ情報格納部を参照することにより、前記通信装置から受信するＩＤに対応する接続先識別子を取得し、当該接続先識別子宛てに前記設定情報を送信することとしてもよい。
【００８２】
また、本実施の形態によれば、コンピュータを、上記各通信設定装置における設定処理手段として機能させるためのプログラムが提供される。
【００８３】
以上、本実施の形態について説明したが、本発明はかかる特定の実施形態に限定されるものではなく、特許請求の範囲に記載された本発明の要旨の範囲内において、種々の変形・変更が可能である。
【符号の説明】
【００８４】
１０  接続装置
２０  通信装置
３０〜３２  処理装置
１００  通信設定装置
１０１  イベント情報格納部
１０２  ユーザ情報格納部
１０３  場所情報格納部
１０４  アドレス情報格納部
１０５  情報登録部
１０６  設定処理部
１０７  アドレス配付部
１５０  ドライブ装置
１５１  記録媒体
１５２  補助記憶装置
１５３  メモリ装置
１５４  ＣＰＵ
１５５  インターフェース装置
１５６  表示装置
１５７  入力装置
２００  ネットワーク
３００  移動体通信ネットワーク
【図１】
2019106682.tif 000003
【図２】
2019106682.tif 000004
【図３】
2019106682.tif 000005
【図４】
2019106682.tif 000006
【図５】
2019106682.tif 000007
【図６】
2019106682.tif 000008
【図７】
2019106682.tif 000009
【図８】
2019106682.tif 000010
【図９】
2019106682.tif 000011
【図１０】
2019106682.tif 000012
【図１１】
2019106682.tif 000013